(57)【要約】【課題】  運転者の視線を適切な方向に誘導し、車両の電柱への接触事故を防ぐ電柱防護標識板を提供する。【解決手段】  柱状の構造物の外周に巻き付けて装着する略方形状に形成されたシート状の基部２と、基部２の構造物に装着した状態で外側となる面を左右対称に分割した範囲の、左側の範囲には右斜め下がりに帯状に延びて配置され、右側の範囲には左斜め下がりに帯状に延びて配置される表示部３０と、を備えた電柱防護標識板１を電柱に装着することで、車両の運転者からは、電柱が左側にあるか右側にあるかを問わず、反射シートからなる表示部３が車道側から外側に向かって斜め上となった模様に見え、運転者の視線を誘導し、電柱への車両の接触を防ぐ。【選択図】  図１
2020195173.tif 000002
【特許請求の範囲】
【請求項１】
柱状の構造物の外周に巻き付けて装着する略方形状に形成されたシート状の基部と、
前記基部の前記構造物に装着した状態で外側となる面を左右対称に分割した範囲の、左側の範囲には右斜め下がりに帯状に延びて配置され、右側の範囲には左斜め下がりに帯状に延びて配置される表示部と、
を備えることを特徴とする電柱防護標識板。
【請求項２】
前記表示部が複数縦列に配置されていることを特徴とする請求項１に記載の柱防護標識板。
【請求項３】
前記表示部は再帰反射材からなることを特徴とする請求項１または２に記載の電柱防護標識板。
【発明の詳細な説明】
【技術分野】
【０００１】
この発明は、電柱を車両との接触の際に防護するための電柱防護標識板に関する。
【背景技術】
【０００２】
従来、電柱を車両の接触から防護するために、電柱の車両が接触するおそれのある高さの位置に、電柱防護標識板が巻き付けられて装着されている。このような電柱防護標識板は視認性を高めるために、黒色の基部に黄色の反射シートを所定の間隔で配置した縞模様となっているものがある。
【０００３】
また、例えば特許文献１に記載の電柱防護標識板のように反射シートが斜めに配置された縞模様となっているものがある。これは、反射シートを、電柱が設置されている位置側から、車道側に向かって斜め下がりに配置する事で、視覚効果によって車両の運転者の視線を、進行方向の先に誘導する効果や、車線を狭く感じさせる効果を狙ったものである。運転者の視線を進行方向の先に誘導することによって、車両が不用意に電柱側に寄って行かないようにして、車両が電柱に接触し難いようにしている。
【０００４】
このような効果は、図４において例示した視覚効果と同様の効果によるものと考えられる。図４（ａ）は、縦方向に平行に配置された２つの長方形にそれぞれ外側上がりの斜線を連続して表示した図である。図４（ａ）の２つの長方形を見ていると、平行に配置されているはずの２つの長方形の間隔が下のＡ側より上のＢ側のほうが狭くなるように見えることがある。対して、図４（ｂ）のように、縦方向に平行に配置された２つの長方形にそれぞれ内側上がりの斜線を連続して表示したものであるが、２つの長方形を見ていると、平行に配置されているはずの２つの長方形の間隔が下のＡ側より上のＢ側のほうが広くなるように見えることがある。このように、斜線を連続で表示することは、人間の視覚に影響を及ぼすものと考えられ、従来の電柱防護標識板では、このような効果を利用して、運転者の視線を適切な方向に誘導したり、注意喚起を促したりするものがある。
【先行技術文献】
【特許文献】
【０００５】
【特許文献１】特開平７−１１４３４３号公報
【発明の概要】
【発明が解決しようとする課題】
【０００６】
ところで、図５に示すような、従来の電柱防護標識板１００では、基部２０に帯状の反射シートが貼り付けられた表示部３０が斜めに配置されている。このような電柱防護標識板１００は、図６に示すように、電柱Ｐが、車両の進行方向に向かって車道の左側に位置するときは、表示部３０は車道方向に向かってに斜め下がりに見える。この場合、表示部３０の車両の運転者に与える視覚的効果によって、運転者の視線を誘導して、車両が電柱に接近することを防いでいる。
【０００７】
しかし、図６に示す電柱Ｐを背面、すなわち対向方向から見ると、図７に示すように電柱Ｐが、車両の進行方向に向かって車道の右側に位置することになる。このような場合、表示部３０は車道側方向に向かってに斜め上がりに見え、車両の運転者の視線が電柱側に誘導され、車両が不用意に電柱に近づくことがある。
【０００８】
このように、帯状の反射シートが貼り付けられた表示部３０が斜めに配置されている従来の電柱防護標識板１００では、電柱Ｐが、車両の進行方向に向かって車道の左側に位置するときは、車両の運転者に対しては視線を進行方向遠くに誘導する効果があるものの、対向方向から走行している車両の運転者からは、視線が電柱Ｐ側に向きやすくなってしまい、視線が散漫になってしまう。このような問題は、例えば車線が複数ある広い道路では起こり難いが、幅の狭い道路では、対向車線からきた運転者は視線が散漫となることで、車両が電柱Ｐに接近しやすくなり、接触してしまう蓋然性が高くなる。
【０００９】
本発明は、上記課題を解決するためになされたものであって、運転者の視線を適切な方向に誘導し、車両の電柱への接触事故を防ぐ事を目的とする。
【課題を解決するための手段】
【００１０】
上記課題を解決するために、請求項１の発明は、柱状の構造物の外周に巻き付けて装着する略方形状に形成されたシート状の基部と、前記基部の前記構造物に装着した状態で外側となる面を左右対称に分割した範囲の、左側の範囲には右斜め下がりに帯状に延びて配置され、右側の範囲には左斜め下がりに帯状に延びて配置される表示部と、を備えることを特徴とする電柱防護標識板である。
【００１１】
請求項１に記載の発明によれば、柱状の構造物である電柱の車道側外周に電柱防護標識板を装着すると、進行する車両から見て、電柱が進行方向左手に位置すると、運転者から見える電柱防護標識板の左半分側の表示部が、右斜め下がりに配置され、一方で逆方向から進行してきた車両から進行方向右手に位置する電柱を見ると、運転者から見える電柱防護標識板の右半分の表示部は左斜め下がりに配置される。
【００１２】
請求項２の発明は、請求項１に記載の電柱防護標識板であって、前記表示部が複数縦列に配置されていることを特徴とする。
【００１３】
請求項３の発明は、請求項１または２に記載の電柱防護標識板であって、前記表示部は再帰反射材からなることを特徴とする。
【発明の効果】
【００１４】
請求項１の発明によれば、車両の運転者からは、電柱が左側にあるか右側にあるかを問わず、帯状の表示部が電柱側から車道方向に向かってに斜め下がりになった模様に見えることで、運転者に車線が狭くなっているような印象を与えて注意を促し、また、視線を進行方向へと誘導して、不用意に車両が電柱に接近しにくいようにすることができる。
【００１５】
このように、電柱に車両が接近するのを防いで電柱への接触する危険性を減らすことができ、接触事故を減らすことが可能となる。
【００１６】
請求項２の発明によれば、複数の表示部が縞模様に配置されるので、視認性が高まり、より効果的に、運転者の視線を誘導し電柱への車両の接触を防ぐ。
【００１７】
請求項３の発明によれば、夜間でも高い視認性を発揮することができる。
【図面の簡単な説明】
【００１８】
【図１】本発明の実施の形態に係る電柱防護標識板を示す正面図である。
【図２】本発明の実施の形態に係る電柱防護標識板を電柱に装着した状態を示す正面図である。
【図３】本発明の実施の形態に係る電柱防護標識板を電柱に装着した状態を示す背面図である。
【図４】本発明の実施の形態に係る電柱防護標識板が利用している視覚効果を説明する図である。
【図５】従来の電柱防護標識板を示す正面図である。
【図６】従来の電柱防護標識板を電柱に装着した状態を示す正面図である。
【図７】従来の電柱防護標識板を電柱に装着した状態を示す背面図である。
【発明を実施するための形態】
【００１９】
以下、本発明の実施形態に係る電柱防護標識板１について図１〜図３を参照して説明する。
【００２０】
図１に示すように電柱防護標識板１は、基部２と、表示部３とを備える。
【００２１】
基部２は、角丸方形の硬質合成ゴム製のシート形状からなる。本実施の形態の電柱防護標識板１の基部２は柱状の構造物である電柱に巻き付けて装着するものであり、横方向が電柱に巻き付ける周方向に、縦方向が電柱の軸方向となるように装着される。基部２は、横方向の幅が少なくとも、電柱の外周の半分以上を覆って装着できるような長さに形成されており、本実施の形態では幅が３５０ミリとなっている。縦方向が車両の接触する可能性がある範囲を覆うことができるサイズに形成され、本実施の形態では高さが４５０ミリとなっている。基部２の素材である硬質合成ゴムは、車両の接触の際に衝撃を吸収できるような硬さを備えた素材を採用し、本実施の形態で採用した素材では厚さを約２ミリとしている。
【００２２】
基部２は、バンド取り付け部２１と、取り付け穴２２と、複数の突起２３とを備える。
【００２３】
バンド取り付け部２１は基部２の周方向の両端辺にそれぞれ備えられ、後述するバンドで取り付けられた際の強度を保つため、他の部分より厚みを持たせて基部２と一体に形成されている。
【００２４】
バンド取り付け部２１には、本実施の形態では取り付け穴２２が３箇所形成されている。これは、電柱防護標識板１を電柱に取り付ける際に、ステンレスバンド４を通すための穴である。取り付け穴２２は、ステンレスバンド４を通せるよう、バンド取り付け部２１に所定の間隔で、縦方向に長い長方形状の孔が形成されている。
【００２５】
突起２３は張り紙などの貼り付けを防ぐために設けられたものであり、基部２と一体で成形される。突起２３は、電柱防護標識板１に張り紙等を貼り付けられても、張り紙との接着面積を少なくすることによって、はがれやすいようにしている。突起２３は、基部２外周側面の、後述する表示部３を除く全域に多数配置されている。
【００２６】
基部２の内周側面は、図示はしないが平らなシート状に成形される。
【００２７】
表示部３は、基部２の外側となる面に配置される帯状の反射シートからなり、該反射シートは基部２に接着され貼り付けられている。表示部３は、基部２を外側となる面を、左右対称に分割した範囲の、左側の範囲には右斜め下がりに、右側の範囲には左斜め下がりなるように配置される。帯状の反射シートは、基部２の横方向の両辺側から、下方向斜めに向かって延びて、基部２の鉛直方向となる中心線で、他方辺側から延びてきた反射シートと合わさるように貼り付けられる。すなわち、表示部３は、基部２の横方向の対称軸線を対称線としたＶ字形状となる。本実施の形態では、周方向の両辺側からそれぞれ４本の反射シートが貼り付けられており、基部２の外側となる面には、４つのＶ字形状の表示部３が配置される。帯状の反射シートは車両の運転者から見やすいようにある程度の幅があるものが好ましく、本実施の形態では幅が３５ミリ程度の反射シートを採用している。
【００２８】
表示部３の反射シートは、黄色の再帰反射性シートが採用されている。再帰反射性シートは、入射した光が再び入射方向へ帰る反射現象を起こす性質を備えた反射シートである。表示部３が、夜間に車両のヘッドライトで照射されると、ヘッドライトの光は入射方向に反射して、車両の運転者から見ると反射光により表示部３が認識しやすいようになっている。また、黒色地の基部２に、黄色のＶ字形状の表示部３が縦に縦列に並んだ縞模様となり、一般的に運転者へ対して注意を促す配色となっている。
【００２９】
このような、電柱防護標識板１を電柱Ｐに装着すると、図２〜３に示すようになる。電柱防護標識板１を電柱Ｐの車道側に巻き付けられて、両端の取り付け穴２２をステンレスバンド４で連結することで電柱Ｐに装着される。電柱防護標識板１は、車両のバンパーやドアミラー等の高さを考慮して、接触する可能性の高い高さに設置される。この時、基部２の周方向の中心線が垂直になるように、かつ、中心方向が車道に対して略垂直方向に向くように装着する。
【００３０】
図２に示すように、電柱Ｐに装着された電柱防護標識板１は進行する車両からみて、電柱Ｐが進行方向左手に位置すると、運転者からは電柱防護標識板１の左半分が見えることになる。電柱防護標識板１の左半分側は右下下がりに帯状の反射テープが貼られており、表示部３は、右下下がり方向、換言すれば車道の外側に斜め上方向の模様に見える。
【００３１】
一方で図３に示すように、逆方向から進行してきた車両から電柱Ｐを見ると、電柱Ｐは進行方向右手に位置し、電柱防護標識板１の右半分が見える事になる。電柱防護標識板１の右半分側は左下下がりに帯状の反射テープが貼られており、表示部３は、左下下がり方向、換言すれば車道の外側に斜め上方向の模様に見える。
【００３２】
すなわち、電柱Ｐが進行方向の右手に位置していようと、左手に位置していようと、電柱防護標識板１の表示部３は、運転者の視線からは、車道の外側へ向かって斜め上がり方向の縞模様に見える。これによって、表示部３はいずれの方向に進行する車両の運転者に対しても、図４（ａ）に示す縦方向に平行に配置された２つの長方形にそれぞれ外側上がりの斜線を連続して表示した図を見た時と同様の視覚効果により、車線が狭くなっているような印象を与え運転者に注意を促し、また、視線を進行方向へと誘導して、不用意に車両が電柱に接近しにくいようにすることができる。これによって電柱Ｐへの接触事故を減らすことが可能となる。
【００３３】
以上、本発明の実施の形態について説明したが、本発明はこれに限定されることなく、その発明の技術的思想を逸脱しない範囲で適宜変更が可能である。本実施の形態では表示部３がそれぞれ、基部２の中央線上で合わさって、Ｖ字形状となっているが、ずれていてＶ字形状とならなくてもよい。このような変形例も、実施の形態の電柱防護標識板１同様、電柱が進行方向の右手に位置していようと、左手に位置していようと、表示部３は、運転者の視線からは、車道の外側斜め上がりの縞模様に見える構成をなしている。したがって、実施の形態の電柱防護標識板１同様の作用効果を有する。
また、本実施の形態では基部２を黒色とし、表示部３の再帰反射性シートを黄色とした、黒地に黄色の縞模様となっているが、その他の色を採用してもよい。
【符号の説明】
【００３４】
１      電柱防護標識板
２      基部
２１    バンド取り付け部
２２    取り付け穴
２３    突起
３      表示部
４      ステンレスバンド
Ｇ      地面
Ｐ      電柱
【図１】
2020195173.tif 000003
【図２】
2020195173.tif 000004
【図３】
2020195173.tif 000005
【図４】
2020195173.tif 000006
【図５】
2020195173.tif 000007
【図６】
2020195173.tif 000008
【図７】
2020195173.tif 000009